(57)【要約】【課題】資料提示装置に関する技術を提供する。【解決手段】カメラを備える資料提示装置であって、カメラによって所定領域を撮像し撮像画像を取得する撮像部と、撮像画像を表示装置に表示画像として表示させる表示出力部と、ユーザがポインティングデバイスを介して行う操作に関する情報であって、座標に関する情報を少なくとも含む操作情報をポインティングデバイスから無線を介して受信する受信部と、受信した操作情報に基づいて処理を行い、該処理の結果を表示画像に重ねて表示させる操作情報処理部とを単一の筐体内に備える資料提示装置。【選択図】図１
2012124620.tif 000002
【特許請求の範囲】
【請求項１】
カメラを備える資料提示装置であって、
前記カメラによって所定領域を撮像し撮像画像を取得する撮像部と、
前記撮像画像を表示装置に表示画像として表示させる表示出力部と、
ユーザがポインティングデバイスを介して行う操作に関する情報であって、座標に関する情報を少なくとも含む操作情報を前記ポインティングデバイスから無線を介して受信する受信部と、
前記受信した操作情報に基づいて処理を行い、該処理の結果を前記表示画像に重ねて表示させる操作情報処理部と
を単一の筐体内に備える資料提示装置。
【請求項２】
前記ポインティングデバイスは、平面を備え、前記ユーザによる前記平面上の位置の指定により前記表示画像上の位置の指定を可能にするタブレット端末である請求項１記載の資料提示装置。
【請求項３】
請求項１または請求項２記載の資料提示装置であって、
前記操作情報は、ユーザが前記ポインティングデバイスを介して指定する前記表示画像上の位置の変化を、所定期間毎の座標の変化として特定する座標情報を含み、
前記操作情報処理部は、
前記座標情報における前記所定期間毎の前記座標の変化を、前記所定期間より短い時間単位の座標の変化である補完座標情報に補完変換する補完部と、
前記補完座標情報に基づいて、前記ユーザが前記ポインティングデバイスを介して指定する前記表示画像上の位置の変化を、前記表示画像に重ねて表示する補完表示部と
を備える
資料提示装置。
【請求項４】
請求項３記載の資料提示装置であって、
前記ユーザが前記ポインティングデバイスを介した操作として描画を行った場合において、
前記補完表示部は、前記描画において前記ユーザが前記ポインティングデバイスを介して指定する前記表示画像上の位置の変化に対応する前記補完座標情報に基づいて、前記描画に対応する画像である描画画像を生成後、該描画画像と前記撮像画像とを重畳した合成描画画像を生成する描画表示部を備え、
前記表示出力部は、前記撮像画像に替えて前記合成描画画像を前記画像表示装置に表示させる
資料提示装置。
【請求項５】
請求項１ないし請求項４のいずれか記載の資料提示装置であって、
前記受信部は、複数のポインティングデバイスの各々から各操作情報を受信可能であり、
前記操作情報処理部は、前記受信部が前記受信した順に、前記各操作情報に対する前記処理行う
資料提示装置。
【発明の詳細な説明】
【技術分野】
【０００１】
本発明は、資料提示装置に関するものである。
【背景技術】
【０００２】
近年、資料提示装置を活用したプレゼンテーションが広く行われている。資料提示装置に関する技術としては、例えば下記特許文献１が知られている。
【０００３】
しかし、資料提示装置の操作にポインティングデバイスを用いる場合、特に無線を利用したポインティングデバイスを用いる場合には、ポインティングデバイスから送信される操作情報を一旦、資料提示装置と接続されたコンピュータにおいて処理し、その後、コンピュータから資料提示装置に処理結果を送信しており、処理部としてのコンピュータが必要であった。
【先行技術文献】
【特許文献】
【０００４】
【特許文献１】特開２０１０−２４５６９０号公報
【発明の概要】
【発明が解決しようとする課題】
【０００５】
本発明は、上述した従来の課題を解決するためになされたものであり、コンピュータを用いずにポインティングデバイスを資料提示装置に用いることのできる技術を提供することを目的とする。
【課題を解決するための手段】
【０００６】
本発明は、上述の課題の少なくとも一部を解決するために、以下の形態または適用例を取ることが可能である。
【０００７】
［適用例１］
カメラを備える資料提示装置であって、前記カメラによって所定領域を撮像し撮像画像を取得する撮像部と、前記撮像画像を表示装置に表示画像として表示させる表示出力部と、ユーザがポインティングデバイスを介して行う操作に関する情報であって、座標に関する情報を少なくとも含む操作情報を前記ポインティングデバイスから無線を介して受信する受信部と、前記受信した操作情報に基づいて処理を行い、該処理の結果を前記表示画像に重ねて表示させる操作情報処理部とを単一の筐体内に備える資料提示装置。
【０００８】
この資料提示装置によると、ポインティングデバイスから無線を介して受信した操作情報を処理する操作情報処理部を、当該資料提示装置の筐体内に一体に備えるので、別個に、操作情報を処理するコンピュータを用意する必要がない。
【０００９】
［適用例２］
前記ポインティングデバイスは、平面を備え、前記ユーザによる前記平面上の位置の指定により前記表示画像上の位置の指定を可能にするタブレット端末である適用例１記載の資料提示装置。
【００１０】
この資料提示装置によると、ポインティングデバイスとしてタブレット端末を適用することができる。従って、資料提示装置によって表示される表示画像に描画操作を行う場合の利便性が向上する。
【００１１】
［適用例３］
適用例１または適用例２記載の資料提示装置であって、前記操作情報は、ユーザが前記ポインティングデバイスを介して指定する前記表示画像上の位置の変化を、所定期間毎の座標の変化として特定する座標情報を含み、前記操作情報処理部は、前記座標情報における前記所定期間毎の前記座標の変化を、前記所定期間より短い時間単位の座標の変化である補完座標情報に補完変換する補完部と、前記補完座標情報に基づいて、前記ユーザが前記ポインティングデバイスを介して指定する前記表示画像上の位置の変化を、前記表示画像に重ねて表示する補完表示部とを備える資料提示装置。
【００１２】
この資料提示装置によると、補完表示部を備えるので、ユーザがポインティングデバイスを介して指定した表示画像上の位置の変化を滑らかな変化として表示することが可能である。
【００１３】
［適用例４］
適用例３記載の資料提示装置であって、前記ユーザが前記ポインティングデバイスを介した操作として描画を行った場合において、前記補完表示部は、前記描画において前記ユーザが前記ポインティングデバイスを介して指定する前記表示画像上の位置の変化に対応する前記補完座標情報に基づいて、前記描画に対応する画像である描画画像を生成後、該描画画像と前記撮像画像とを重畳した合成描画画像を生成する描画表示部を備え、前記表示出力部は、前記撮像画像に替えて前記合成描画画像を前記画像表示装置に表示させる資料提示装置。
【００１４】
この資料提示装置によると、補完表示部は補完座標情報に基づいて描画画像を生成するので、描画画像に含まれる線画を滑らかな線画として生成可能である。
【００１５】
［適用例５］
適用例１ないし適用例４のいずれか記載の資料提示装置であって、前記受信部は、複数のポインティングデバイスの各々から各操作情報を受信可能であり、前記操作情報処理部は、前記受信部が前記受信した順に、前記各操作情報に対する前記処理行う資料提示装置。
【００１６】
この資料提示装置によると、複数のポインティングデバイスからの操作情報に基づく処理結果を表示画像に重ねて表示させることができる。
【００１７】
なお、本発明は、種々の態様で実現することが可能である。例えば、資料提示方法および装置、プレゼンテーションシステム、それらの方法または装置の機能を実現するための集積回路、コンピュータプログラム、そのコンピュータプログラムを記録した記録媒体等の形態で実現することができる。
【図面の簡単な説明】
【００１８】
【図１】資料提示システム１０の構成を説明する説明図である。
【図２】資料提示装置２０の内部構成を説明するブロック図である。
【図３】描画画像表示処理の流れを示したフローチャートである。
【図４】座標補完処理および描画画像生成処理を説明する説明図である。
【発明を実施するための形態】
【００１９】
次に、本発明の実施の形態を実施例に基づいて説明する。
Ａ．第１実施例：
（Ａ１）資料提示システムの構成：
図１は、本発明の実施例としての資料提示システム１０の構成を説明する説明図である。資料提示システム１０は、資料提示装置２０、テレビ４０、タブレットＴｂ１，タブレットＴｂ２，タブレットＴｂ３（以下、総じてタブレットＴｂと呼ぶこともある）を備える。資料提示装置２０とテレビ４０とはデータ転送用のケーブルで互いに接続されている。タブレットＴｂと資料提示システム１０とは無線ＵＳＢによって接続されている。資料提示システム１０は、資料提示装置２０の撮像領域ＲＡに載置された資料ＲＳを資料提示装置２０が撮像し、撮像画像をテレビ４０がスクリーンに表示画像ＩＡとして表示する。表示された表示資料ＩＳが資料ＲＳに対応する。
【００２０】
タブレットＴｂは、ユーザが当該タブレットＴｂに対して行った操作に関する情報である操作情報を、無線ＵＳＢによって資料提示装置２０に送信する。本実施例では、タブレットＴｂは無線ＵＳＢを用いて操作情報を資料提示装置２０に送信するが、ブルートゥースや赤外線、無線ＬＡＮなどの他の無線技術を利用して、操作情報を資料提示装置２０に送信するとしてもよい。タブレットＴｂは、ユーザが表示画像ＩＡ上の位置を指定するモードとして、カーソルモードと描画モードとを備える。カーソルモードは、ユーザがタブレットＴｂを用いて指定した表示画像ＩＡ上の位置にカーソル（例えば矢印）を表示するモードである。描画モードは、ユーザがタブレットＴｂを用いて表示画像ＩＡ上に描画をすることを可能にするモードである。また資料提示システム１０はタブレットＴｂを３台（Ｔｂ１、Ｔｂ２、Ｔｂ３）備え、３台のそれぞれからカーソルモードや描画モードによって表示画像ＩＡの位置の指定が可能である。３台のタブレットＴｂから行った操作は、操作が行われた順に順次、カーソルまたは描画画像として表示画像ＩＡ上に表示される。
【００２１】
資料提示装置２０は、机などに設置される本体２２と、本体２２に設けられた操作部２３と、本体２２から上側に伸びた支柱２４と、支柱２４の先端に取り付けられたカメラヘッド２６とを備える。カメラヘッド２６にはＣＣＤを用いたビデオカメラが内蔵されており、机などに載置された資料ＲＳを単位時間当たりに所定のフレーム数で撮像する。本実施例では、資料提示装置２０は資料ＲＳを６０フレーム／秒で撮像する。また、本体２２に備えられているＵＳＢインターフェース２７６には、タブレットＴｂからの操作情報を受信する無線ＵＳＢの受信部２９が接続されている。
【００２２】
図２は、資料提示装置２０の内部構成を説明するブロック図である。資料提示装置２０は、撮像部２１０、画像処理ユニット２２０、ＣＰＵ２３０、ＲＡＭ２４０、ハードディスク（ＨＤＤ）２５０、ＲＯＭ２６０を備える。また、資料提示装置２０は、デジタルデータ出力インターフェース（デジタルデータ出力ＩＦ）２７２、アナログデータ出力インターフェース（アナログデータ出力ＩＦ）２７４、ＵＳＢインターフェース（ＵＳＢＩＦ）２７６、操作部２３を備える。ＵＳＢＩＦ２７６には、タブレットＴｂから送信された操作情報を受信する受信部、即ち無線ＵＳＢの受信部が接続されている。
【００２３】
撮像部２１０にはレンズユニット２１２と電荷結合素子（ＣＣＤ）２１４とが備えられており、ＣＣＤ２１４は、レンズユニット２１２を透過した光を受光して電気信号に変換するイメージセンサである。画像処理ユニット２２０は、ＡＧＣ（Automatic Gain Control）回路やＤＳＰ（Digital Signal Processor）から構成され、ＣＣＤ２１４から出力される電気信号を入力し撮像画像データを生成する。画像処理ユニット２２０が生成した撮像画像データは、ＲＡＭ２４０が備える撮像画像バッファ２４２に記憶される。
【００２４】
ＣＰＵ２３０は、資料提示装置２０全体の動作を制御するとともに、ＨＤＤ２５０およびＲＯＭ２６０に記憶されているプログラムを読み込んで実行することにより、タブレットドライバ２３２および表示出力部２３３として動作する。タブレットドライバ２３２は、受信部２９を介して受信したタブレットＴｂからの操作情報に基づいて、その操作情報に対応する処理を行う。表示出力部２３３は、タブレットＴｂからの操作情報に基づく処理（例えば、カーソルの表示や描画画像の表示をする処理）がある場合には、その操作に対応する処理結果を表示画像としてデジタルデータ出力ＩＦ２７２またはアナログデータ出力ＩＦ２７４を介してテレビ４０に出力し、操作情報に対応する処理が無い場合には、撮像画像バッファ２４２に記憶されている撮像画像を表示画像としてアナログデータ出力ＩＦ２７４を介してテレビ４０に出力する。
【００２５】
タブレットドライバ２３２は、座標補完処理部２３４と補完表示処理部２３５とを備える。また補完表示処理部２３５は、カーソル表示部２３６と描画表示部２３７とを備える。これら処理部については後で詳しく説明する。
【００２６】
ＲＡＭ２４０は、撮像画像バッファ２４２、座標情報バッファ２４３、補完座標情報バッファ２４４、描画画像バッファ２４５、合成画像バッファ２４６を備える。撮像画像バッファ２４２は、撮像部２１０が撮像し画像処理ユニット２２０が生成した撮像画像データを記憶する。座標情報バッファ２４３は、タブレットＴｂから受信した操作情報に含まれる座標に関する情報（以下、座標情報とも呼ぶ）を記憶する。補完座標情報バッファ２４４は、座標情報としての経時的な座標の変化を、より細かな時間毎の座標の変化に補完変換した補完座標情報を記憶する。描画画像バッファ２４５は、ユーザがタブレットＴｂを用いて描いた描画画像に対応する描画画像データを記憶する。合成画像バッファ２４６は、撮像画像に描画画像またはカーソルを重畳した画像である合成画像に対応する合成画像データを記憶する。
【００２７】
デジタルデータ出力ＩＦ２７２は、撮像画像データまたは合成画像データを符号化し、デジタル信号として外部に出力する。アナログデータ出力ＩＦ２７４は、撮像画像データまたは合成画像データをデジタル／アナログ変換し、ＲＧＢデータとして外部に出力する。アナログデータ出力ＩＦ２７４にはＤ／Ａコンバータ（ＤＡＣ）が含まれる。デジタルデータ出力ＩＦ２７２およびアナログデータ出力ＩＦ２７４にはケーブル接続用のコネクタが備えられている。本実施例では、アナログデータ出力ＩＦ２７４にテレビ４０が接続されている。
【００２８】
（Ａ２）描画画像表示処理：
次に資料提示システム１０が行う描画画像表示処理について説明する。描画画像表示処理は、タブレットＴｂを用いてユーザが描画した描画画像を画像表示装置であるテレビ４０に表示する処理である。図３は、ＣＰＵ２３０が行う描画画像表示処理の流れを示したフローチャートである。描画画像表示処理は、資料提示装置２０の電源をＯＮにした後、ユーザが操作部２３を用いて描画モードを選択することによって開始される。描画画像表示処理が開始されると、ＣＰＵ２３０は、撮像部２１０および画像処理ユニット２２０が生成した撮像画像データを取得し、撮像画像バッファ２４２に記憶する（ステップＳ１０２）。次にＣＰＵ２３０は、ユーザがタブレットＴｂを用いて行った描画の操作に対応する操作情報を受信すると（ステップＳ１０４：ＹＥＳ）、受信した操作情報に含まれる座標情報を座標情報バッファ２４３に記憶する（ステップＳ１０６）。一方、ＣＰＵ２３０は、操作情報を受信するまでは（ステップＳ１０４：ＮＯ）、撮像画像バッファ２４２に記憶した撮像画像データを、アナログデータ出力ＩＦ２７４を介してテレビ４０に出力する（ステップＳ１１４）。
【００２９】
ＣＰＵ２３０は、タブレットＴｂから操作情報を受信し、座標情報を座標情報バッファ２４３に記憶後、座標情報に含まれる座標の変化を補完する座標補完処理を行い補完座標情報を生成し補完座標情報バッファ２４４に記憶する（ステップＳ１０８）。そして、ＣＰＵ２３０は、補完座標情報に基づき、描画画像データを生成する（ステップＳ１１０）。
【００３０】
ここで座標補完処理および描画画像生成処理について説明する。図４は座標補完処理および描画画像生成処理を説明する説明図である。ＣＰＵ２３０が座標情報バッファ２４３に記憶した座標情報は、具体的には、ユーザが描画操作によってタブレットＴｂ上で指定した座標の変化を、タブレットＴｂが１２０Ｈｚで取得した座標（以下、取得座標とも呼ぶ）である。図４（Ａ）には、タブレットＴｂが取得した取得座標Ｐ１，Ｐ２を示した。取得座標Ｐ１，Ｐ２は、ユーザが描画操作時に位置を指定するのに用いるタブレットＴｂ上のパネルを基準にしている。本説明では、タブレットＴｂが取得座標Ｐ１を取得し、１／１２０秒後に、取得座標Ｐ２を取得したものとして説明する。座標補完処理においてＣＰＵ２３０は、１／１２０秒ごとに取得した取得座標Ｐ１と取得座標Ｐ２との間に補完座標を生成する。図４（Ｂ）は、ＣＰＵ２３０が取得座標Ｐ１と取得座標Ｐ２との間に補完座標を生成した様子を示している。ＣＰＵ２３０は、補完座標を生成すると、描画表示部２３７の機能として、取得座標Ｐ１，Ｐ２および補完座標に基づいて、ユーザーの描画操作に対応する描画画像を生成する。すなわち、ＣＰＵ２３０は、取得座標Ｐ１，Ｐ２および補完座標に対して、ユーザが描画した線画の太さ、色などの情報を付加する。図４（Ｃ）は、ＣＰＵ２３０による描画画像生成処理として、取得座標Ｐ１，Ｐ２および補完座標に対して、線画の太さに対応する座標を生成する様子を示した。
【００３１】
説明を描画画像表示処理に戻す（図３）。ＣＰＵ２３０は、描画画像生成処理（ステップＳ１１０）において生成した描画画像データと、座標情報バッファ２４３に記憶している撮像画像データとを合成して合成画像データを生成し、合成画像バッファ２４６に記憶する（ステップＳ１１２）。合成画像データは、撮像画像データに描画画像を重畳した画像に対応する画像データである。ＣＰＵ２３０は、合成画像データを生成すると、表示出力部２３３の機能として、合成画像データをアナログデータ出力ＩＦ２７４を介してテレビ４０に出力する（ステップＳ１１４）。そしてＣＰＵ２３０は、上記処理を、資料提示装置２０の電源がＯＦＦもしくは描画モードが終了するまで繰り返し行う（ステップＳ１１６）。
【００３２】
上記描画表示処理の説明においては、資料提示装置２０は操作情報をタブレットＴｂから受信するとして説明したが、実際は、タブレットＴｂ１，Ｔｂ２，Ｔｂ３から操作情報を受信し描画表示処理を行う。この場合、ＣＰＵ２３０は、各タブレットＴｂ１，Ｔｂ２，Ｔｂ３のから操作情報を受信した順に、順次、描画情報処理として操作情報を処理する。
【００３３】
また、ユーザが操作部２３によってカーソルモードを選択した場合には、受信した取得座標および補完座標上に経時的にカーソルの画像を生成後、撮像画像データと合成した合成画像データを生成し、表示出力部２３３がアナログデータ出力ＩＦ２７４を介してテレビ４０に合成画像データを出力する。本実施例では、資料提示装置２０は６０フレーム／秒で撮像画像データを取得して、表示画像としてテレビ４０に表示させるため、１２０Ｈｚで取得した取得座標のみに基づいてカーソルを発生させても、カーソルの移動を滑らかな連続的な移動として表示できる。例えば、資料提示装置２０が２４０フレーム／秒や３６０フレーム／秒で表示画像を表示する場合等、フレーム数が増加した場合においても、取得座標に加え補完座標に基づいてカーソルを発生させることにより、カーソルの動きを滑らかな連続的な移動として表示画像に表示することができる。
【００３４】
以上説明したように、資料提示システム１０は、タブレットＴｂからの無線を介した操作に対応した処理を行うが、資料提示装置２０の内部に操作情報を処理する処理部としてのタブレットドライバ２３２を備えるため、別個に、操作情報処理用のコンピュータを必要としない。従って、ユーザは、資料提示システム１０の設置、配線の接続、運搬等を容易に行うことができる。
【００３５】
また、資料提示装置２０は、描画モードにおいて、タブレットＴｂから取得座標を取得し、取得座標に基づいて描画画像を資料提示装置２０において生成する。従って、タブレットＴｂが描画画像に対応する描画画像データ（例えばビットマップデータ）を生成し、描画画像データを資料提示装置２０に無線を介して転送する態様と比較して、転送するデータ容量を減少でき、かつ、タブレットＴｂ側では生成した描画画像データを記憶する記憶領域を、資料提示装置２０側では受信した描画画像データをそれぞれ記憶する記憶領域を削減することができる。
【００３６】
さらに、資料提示システム１０は、無線を利用した複数のタブレットＴｂ（本実施例では、タブレットＴｂ１，Ｔｂ２，Ｔｂ３）を用いて、描画操作およびカーソルの移動が可能である。従って、ポインティングデバイス（本実施例ではタブレットＴｂ）と資料提示装置２０を接続するケーブルを取り回す手間が不要となり、断線故障も生じない。
【００３７】
その他、資料提示装置２０は無線ＵＳＢによるアドレスによっても、タブレットＴｂ毎に付されたＩＤによっても識別できるので、時分割で各タブレットＴｂからの信号を処理し、タブレットＴｂ毎に別々の描画の操作情報として処理をしても良い。そして、各タブレットからの操作情報を処理した結果を、タブレット毎に異なる態様、例えば色の違いや、線の太さの違い、濃さの違いなどで識別可能に表示することも好ましい。例えば、教育現場において、複数の生徒がそれぞれにタブレットＴｂを用いて表示画像に対して描画操作をすることが可能となり、新規な授業形態を採用することが可能となる。
【００３８】
資料提示側でどのタブレットを有効とするかを選択するスイッチを設けても良い。また、タブレットは常に有効にしておき、処理した結果を表示することを禁止するスイッチを設けても良い。この場合、禁止されている間も処理は継続し、禁止が解除されたた処理結果を一度に表示するものとしても良い。生徒が回答や絵などを描く間は表示させず、後から回答を一度に表示させることができる。このようなタブレットを選択するスイッチの色と描画色とを合わせておくとしてもよい。タブレットの選択処理がしやすくなり利便性が向上する。
【００３９】
特許請求の範囲との対応関係としては、タブレットドライバ２３２が特許請求の範囲に記載の操作情報処理部に対応し、座標補完処理部２３４が特許請求の範囲に記載の補完部に対応し、補完表示処理部２３５が特許請求の範囲に記載の補完表示処理部に対応する。
【００４０】
Ｂ．変形例：
なお、この発明は上記の実施例や実施形態に限られるものではなく、その要旨を逸脱しない範囲において種々の態様において実施することが可能であり、例えば次のような変形も可能である。
【００４１】
（Ｂ１）変形例１：
上記実施例では、ポインティングデバイスとして無線を利用したタブレットＴｂを用いたが、それに限ることなく、無線を利用したマウスを用いるとしてもよい。この場合、タブレットＴｂと共にマウスを用いるとしてもよい。例えば、複数のタブレットの１部をマウスに替えてもよいし、１台以上のタブレットと１台以上のマウスとを混在して用いるとしてもよい。また、タブレットやマウスに替えて、トラックパッドやトラックボールなどのポインティングデバイスを用いるとしてもよい。このようにしても上記実施例と同様の効果を得ることが可能である。
【００４２】
（Ｂ２）変形例２：
上記実施例では、画像を表示する画像表示装置としてテレビ４０を用いたが、それに限ることなく、プロジェクタや、液晶ディスプレイ等の他の画像表示装置を用いるとしてもよい。このようにしても上記実施例と同様の効果を得ることができる。
【００４３】
（Ｂ３）変形例３：
上記実施例においてソフトウェアで実現されている機能の一部をハードウェアで実現してもよく、あるいは、ハードウェアで実現されている機能の一部をソフトウェアで実現してもよい。
【符号の説明】
【００４４】
１０…資料提示システム
２０…資料提示装置
２２…本体
２３…操作部
２４…支柱
２６…カメラヘッド
２９…受信部
４０…テレビ
２１０…撮像部
２１２…レンズユニット
２１４…ＣＣＤ
２２０…画像処理ユニット
２３０…ＣＰＵ
２３２…タブレットドライバ
２３３…表示出力部
２３４…座標補完処理部
２３５…補完表示処理部
２３６…カーソル表示部
２３７…描画表示部
２４０…ＲＡＭ
２４２…撮像画像バッファ
２４３…座標情報バッファ
２４４…補完座標情報バッファ
２４５…描画画像バッファ
２４６…合成画像バッファ
２７２…デジタルデータ出力ＩＦ
２７４…アナログデータ出力ＩＦ
Ｐ１，Ｐ２…取得座標
ＩＡ…表示画像
ＲＡ…撮像領域
ＩＳ…表示資料
ＲＳ…資料
Ｔｂ，Ｔｂ１，Ｔｂ２，Ｔｂ３…タブレット
【図１】
2012124620.tif 000003
【図２】
2012124620.tif 000004
【図３】
2012124620.tif 000005
【図４】
2012124620.tif 000006